【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
シングルキャリア方式で上りリンク制御チャネルを基地局に送信するユーザ装置であって、
前記基地局から送信されたデータに対する受信判定を行い、この受信判定結果を送達確認情報として生成する受信判定部と、
前記受信判定部において受信判定を行ったデータがパーシステント・スケジューリングで送信されたデータでなければ、下りリンク制御チャネルの無線リソース番号と一対一に対応したインデックスの無線リソースに、前記受信判定部において生成した送達確認情報が含まれた上りリンク制御チャネルを割り当て、前記受信判定部において受信判定を行ったデータがパーシステント・スケジューリングで送信されたデータであれば、高レイヤのシグナリングにより特定された無線リソースに、前記受信判定部において生成した送達確認情報が含まれた上りリンク制御チャネルを割り当てる制御情報多重部と、
を有するユーザ装置。
【請求項２】
チャネル品質情報を生成する制御情報生成部をさらに有し、
前記制御情報多重部は、前記制御情報生成部において生成したチャネル品質情報を上りリンク制御チャネルに含める場合、システム帯域の外側部分のリソースブロックに上りリンク制御チャネルを配置させ、前記受信判定部において生成した送達確認情報を上りリンク制御チャネルに含める場合、システム帯域の外側部分のリソースブロックのうち、チャネル品質情報が含まれた上りリンク制御チャネルを配置させるべきリソースブロックとは異なったリソースブロックに上りリンク制御チャネルを配置させる請求項１に記載のユーザ装置。
【請求項３】
前記制御情報多重部は、前記受信判定部において生成した送達確認情報に対して、サイクリック・シフトさせたＣＡＺＡＣ系列と、ブロック拡散とを使用することによって、上りリンク制御チャネルを生成することを特徴とする請求項１または２に記載のユーザ装置。
【請求項４】
前記制御情報多重部は、前記制御情報生成部において生成したチャネル品質情報に対して、サイクリック・シフトさせたＣＡＺＡＣ系列を使用することによって、上りリンク制御チャネルを生成することを特徴とする請求項２に記載のユーザ装置。
【請求項５】
シングルキャリア方式で上りリンク制御チャネルを基地局に送信するユーザ装置において使用される送信方法であって、
前記基地局から送信されたデータに対する受信判定を行い、この受信判定結果を送達確認情報として生成するステップと、
受信判定を行ったデータがパーシステント・スケジューリングで送信されたデータでなければ、下りリンク制御チャネルの無線リソース番号と一対一に対応したインデックスの無線リソースに、送達確認情報が含まれた上りリンク制御チャネルを割り当て、受信判定を行ったデータがパーシステント・スケジューリングで送信されたデータであれば、高レイヤのシグナリングにより特定された無線リソースに、送達確認情報が含まれた上りリンク制御チャネルを割り当てるステップと、
を有する送信方法。
【請求項６】
シングルキャリア方式で上りリンク制御チャネルを送信するユーザ装置と、
前記ユーザ装置からの上りリンク制御チャネルを受信する基地局とを備え、
前記ユーザ装置は、
前記基地局から送信されたデータに対する受信判定を行い、この受信判定結果を送達確認情報として生成する受信判定部と、
前記受信判定部において受信判定を行ったデータがパーシステント・スケジューリングで送信されたデータでなければ、下りリンク制御チャネルの無線リソース番号と一対一に対応したインデックスの無線リソースに、前記受信判定部において生成した送達確認情報が含まれた上りリンク制御チャネルを割り当て、前記受信判定部において受信判定を行ったデータがパーシステント・スケジューリングで送信されたデータであれば、高レイヤのシグナリングにより特定された無線リソースに、前記受信判定部において生成した送達確認情報が含まれた上りリンク制御チャネルを割り当てる制御情報多重部と、
を有する通信システム。
【手続補正２】
【補正対象書類名】明細書
【補正対象項目名】発明の名称
【補正方法】変更
【補正の内容】
【発明の名称】ユーザ装置、送信方法及び通信システム
【手続補正３】
【補正対象書類名】明細書
【補正対象項目名】０００８
【補正方法】変更
【補正の内容】
【０００８】
本発明のユーザ装置は、
シングルキャリア方式で上りリンク制御チャネルを基地局に送信するユーザ装置であって、
前記基地局から送信されたデータに対する受信判定を行い、この受信判定結果を送達確認情報として生成する受信判定部と、
前記受信判定部において受信判定を行ったデータがパーシステント・スケジューリングで送信されたデータでなければ、下りリンク制御チャネルの無線リソース番号と一対一に対応したインデックスの無線リソースに、前記受信判定部において生成した送達確認情報が含まれた上りリンク制御チャネルを割り当て、前記受信判定部において受信判定を行ったデータがパーシステント・スケジューリングで送信されたデータであれば、高レイヤのシグナリングにより特定された無線リソースに、前記受信判定部において生成した送達確認情報が含まれた上りリンク制御チャネルを割り当てる制御情報多重部と、
を有することを特徴の１つとする。
【手続補正４】
【補正対象書類名】明細書
【補正対象項目名】０００９
【補正方法】変更
【補正の内容】
【０００９】
本発明の送信方法は、
シングルキャリア方式で上りリンク制御チャネルを基地局に送信するユーザ装置において使用される送信方法であって、
前記基地局から送信されたデータに対する受信判定を行い、この受信判定結果を送達確認情報として生成するステップと、
受信判定を行ったデータがパーシステント・スケジューリングで送信されたデータでなければ、下りリンク制御チャネルの無線リソース番号と一対一に対応したインデックスの無線リソースに、送達確認情報が含まれた上りリンク制御チャネルを割り当て、受信判定を行ったデータがパーシステント・スケジューリングで送信されたデータであれば、高レイヤのシグナリングにより特定された無線リソースに、送達確認情報が含まれた上りリンク制御チャネルを割り当てるステップと、
を有することを特徴の１つとする。
【手続補正５】
【補正対象書類名】明細書
【補正対象項目名】００１０
【補正方法】変更
【補正の内容】
【００１０】
本発明の通信システムは、
シングルキャリア方式で上りリンク制御チャネルを送信するユーザ装置と、
前記ユーザ装置からの上りリンク制御チャネルを受信する基地局とを備え、
前記ユーザ装置は、
前記基地局から送信されたデータに対する受信判定を行い、この受信判定結果を送達確認情報として生成する受信判定部と、
前記受信判定部において受信判定を行ったデータがパーシステント・スケジューリングで送信されたデータでなければ、下りリンク制御チャネルの無線リソース番号と一対一に対応したインデックスの無線リソースに、前記受信判定部において生成した送達確認情報が含まれた上りリンク制御チャネルを割り当て、前記受信判定部において受信判定を行ったデータがパーシステント・スケジューリングで送信されたデータであれば、高レイヤのシグナリングにより特定された無線リソースに、前記受信判定部において生成した送達確認情報が含まれた上りリンク制御チャネルを割り当てる制御情報多重部と、
を有することを特徴の１つとする。